(57)【特許請求の範囲】
【請求項１】
レンズを保持し前記レンズの光軸方向へ移動可能な可動体と、前記可動体を前記光軸方向へ移動可能に保持する固定体と、前記可動体を前記光軸方向へ駆動する駆動機構と、前記可動体と前記固定体とを繋ぐ板バネとを備え、
前記板バネは、前記可動体に固定される可動体固定部と、前記固定体に固定される固定体固定部と、前記可動体固定部と前記固定体固定部とを繋ぐ腕部とを備え、
前記固定体は、金属材料で形成され前記駆動機構の外周側を覆うとともに前記光軸方向における一端面に前記固定体固定部が固定されるカバー部材と、金属材料で形成され前記固定体固定部を覆うように前記光軸方向における一端側で前記カバー部材に固定される第２のカバー部材と、環状に形成され前記カバー部材と前記第２のカバー部材との間に配置されるエラストマー製のシール部材とを備え、
前記第２のカバー部材は、前記光軸方向へ立ち上るようにかつ環状に形成される外周壁部と、前記光軸方向に略平行な前記カバー部材の側面の外側から前記カバー部材の側面に固定される被固定部とを備え、
前記被固定部には、溶接跡が形成され、
前記被固定部は、前記外周壁部に繋がるように形成され、
前記シール部材は、前記外周壁部の内周側に配置されるとともに、前記光軸方向に圧縮された状態で、前記カバー部材と前記第２のカバー部材との間に挟まれており、
前記被固定部の近傍では、前記シール部材と前記外周壁部との間に隙間が形成されていることを特徴とするレンズ駆動装置。
【請求項２】
前記被固定部には、前記カバー部材の側面に向かって突出する凸部が形成されていることを特徴とする請求項１記載のレンズ駆動装置。
【請求項３】
前記固定体は、前記固定体固定部が固定される固定部材を備え、
前記固定部材は、前記光軸方向における前記カバー部材の一端面との間に前記固定体固定部を挟んだ状態で、前記光軸方向における前記カバー部材の一端面に固定され、
前記シール部材は、前記固定部材と前記第２のカバー部材との間に、かつ、前記固定部材と重なるように配置されていることを特徴とする請求項１または２記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズを保持して光軸方向へ移動するレンズホルダと、レンズホルダを光軸方向へ移動可能に保持する固定体と、レンズホルダを光軸方向へ駆動するための駆動用コイルおよび駆動用磁石を有する駆動機構とを備えるレンズ駆動装置が知られている（たとえば、特許文献１参照）。特許文献１に記載のレンズ駆動装置では、固定体は、固定体の反被写体側部分を構成するベース部材と、駆動用コイルおよび駆動用磁石の外周側を覆うヨークとを備えている。
【０００３】
また、このレンズ駆動装置では、レンズホルダは、レンズホルダの被写体側に配置される上側板バネと、レンズホルダの反被写体側に配置される下側板バネとによって、光軸方向への移動が可能となるように固定体に支持されている。上側板バネは、ヨークの上面に固定される環状の外側固定部と、レンズホルダの上端部に固定される環状の内側固定部と、外側固定部と内側固定部とを繋ぐ３本の腕部とを備えている。また、固定体は、上側板バネの外側固定部を被写体側から覆うカバー部材を備えている。カバー部材は、ベース部材との間にヨークを挟んだ状態で、ベース部材に固定されている。上側板バネの上面とカバー部材との間には、上側板バネのバネ定数を調整するための調整板が配置されている。
【先行技術文献】
【特許文献】
【０００４】
【特許文献１】特開２０１０−２１７６６５号公報
【発明の概要】
【発明が解決しようとする課題】
【０００５】
携帯電話等に搭載されるカメラに使用されるレンズ駆動装置は、塵埃の比較的多い環境で使用されることもある。レンズ駆動装置の内部に塵埃が入り込むと、内部に入り込んだ塵埃の影響で、レンズ駆動装置が搭載されたカメラで撮影される画像の質が低下するおそれがある。しかしながら、特許文献１に記載のレンズ駆動装置では、装置内部へ塵埃が入り込むのを防止するための対策は考慮されていない。
【０００６】
そこで、本発明の課題は、装置内部へ塵埃が入り込むのを抑制することが可能なレンズ駆動装置を提供することにある。
【課題を解決するための手段】
【０００７】
上記の課題を解決するため、本発明のレンズ駆動装置は、レンズを保持しレンズの光軸方向へ移動可能な可動体と、可動体を光軸方向へ移動可能に保持する固定体と、可動体を光軸方向へ駆動する駆動機構と、可動体と固定体とを繋ぐ板バネとを備え、板バネは、可動体に固定される可動体固定部と、固定体に固定される固定体固定部と、可動体固定部と固定体固定部とを繋ぐ腕部とを備え、固定体は、金属材料で形成され駆動機構の外周側を覆うとともに光軸方向における一端面に固定体固定部が固定されるカバー部材と、金属材料で形成され固定体固定部を覆うように光軸方向における一端側でカバー部材に固定される第２のカバー部材と、環状に形成されカバー部材と第２のカバー部材との間に配置されるエラストマー製のシール部材とを備え、第２のカバー部材は、光軸方向へ立ち上るようにかつ環状に形成される外周壁部と、光軸方向に略平行なカバー部材の側面の外側からカバー部材の側面に固定される被固定部とを備え、被固定部には、溶接跡が形成され、被固定部は、外周壁部に繋がるように形成され、シール部材は、外周壁部の内周側に配置されるとともに、光軸方向に圧縮された状態で、カバー部材と第２のカバー部材との間に挟まれており、被固定部の近傍では、シール部材と外周壁部との間に隙間が形成されていることを特徴とする。
【０００８】
本発明のレンズ駆動装置では、駆動機構の外周側を覆うカバー部材の光軸方向における一端面に板バネの固定体固定部が固定され、光軸方向における一端側でカバー部材に固定される第２のカバー部材によって固定体固定部が覆われている。また、本発明では、カバー部材と第２のカバー部材との間に、光軸方向に圧縮された状態のエラストマー製のシール部材が挟まれている。そのため、板バネの固定体固定部を覆うように第２のカバー部材が設けられている場合であっても、シール部材によって、カバー部材と第２のカバー部材との間の隙間を埋めることが可能になる。したがって、本発明では、カバー部材と第２のカバー部材との間からレンズ駆動装置の内部へ塵埃が入り込むのを防止することが可能になり、その結果、レンズ駆動装置の内部へ塵埃が入り込むのを抑制することが可能になる。
【０００９】
また、本発明では、カバー部材と第２のカバー部材との間にエラストマー製のシール部材が配置されているため、レンズ駆動装置が落下する等の状況が生じて、第２のカバー部材に衝撃が加わっても、この衝撃をシール部材で緩和することが可能になる。したがって、本発明では、レンズ駆動装置の耐衝撃性を高めることが可能になる。また、本発明では、カバー部材と第２のカバー部材との間にエラストマー製のシール部材が配置されているため、可動体が光軸方向へ移動する際の振動をシール部材で吸収することが可能になる。したがって、本発明では、レンズ駆動装置が取り付けられるカメラの筺体の振動等を抑制することが可能になる。
【００１０】
また、本発明では、カバー部材および第２のカバー部材は、金属材料で形成されており、第２のカバー部材は、光軸方向に略平行なカバー部材の側面の外側からカバー部材の側面に溶接で固定される被固定部を備えているため、シール部材の圧縮量を変えることで、光軸方向において、カバー部材に対する第２のカバー部材の固定位置を調整することが可能になる。したがって、レンズ駆動装置を構成する部品にばらつきが生じても、光軸方向におけるレンズ駆動装置の寸法のばらつきを抑制して、光軸方向におけるレンズ駆動装置の寸法精度を高めることが可能になる。また、第２のカバー部材に形成される被固定部がカバー部材の側面の外側からカバー部材の側面に溶接で固定されるため、第２のカバー部材をカバー部材に溶接で固定する際に、光軸方向における第２のカバー部材の固定位置の調整が容易になる。また、本発明では、第２のカバー部材は、光軸方向へ立ち上るようにかつ環状に形成される外周壁部を備え、被固定部は、外周壁部に繋がるように形成され、シール部材は、環状に形成されるとともに外周壁部の内周側に配置され、被固定部の近傍では、シール部材と外周壁部との間に隙間が形成されているため、光軸方向に圧縮されて光軸方向に直交する方向へ広がったシール部材が、外周壁部の、被固定部の近傍部分を外周側へ押し広げるのを防止することが可能になる。したがって、カバー部材の側面と被固定部とを確実に密着させて、カバー部材の側面と被固定部とを確実に溶接することが可能になる。
【００１１】
本発明において、被固定部には、カバー部材の側面に向かって突出する凸部が形成されていることが好ましい。このように構成すると、凸部を利用して、カバー部材の側面と被固定部とを密着させることが可能になる。したがって、カバー部材の側面と被固定部とを確実に溶接することが可能になり、カバー部材の側面と被固定部との固定強度を高めることが可能になる。
【００１３】
本発明において、固定体は、固定体固定部が固定される固定部材を備え、固定部材は、光軸方向におけるカバー部材の一端面との間に固定体固定部を挟んだ状態で、光軸方向におけるカバー部材の一端面に固定され、シール部材は、固定部材と第２のカバー部材との間に、かつ、固定部材と重なるように配置されていることが好ましい。このように構成すると、固定部材によって固定体固定部の強度を高めることが可能になる。したがって、カバー部材の一端面に固定体固定部を固定する前に、固定部材に固定体固定部を固定しておけば、カバー部材の一端面に固定体固定部を固定する際の固定体固定部の変形を防止することが可能になる。その結果、板バネのバネ特性を安定させることが可能になる。また、このように構成すると、シール部材が、固定部材と第２のカバー部材との間に、かつ、固定部材と重なるように配置されているため、カバー部材と第２のカバー部材との間に固定部材が設けられている場合であっても、シール部材によって、カバー部材と第２のカバー部材との間からレンズ駆動装置の内部へ塵埃が入り込むのを防止することが可能になる。
【発明の効果】
【００１４】
以上のように、本発明では、レンズ駆動装置の内部へ塵埃が入り込むのを抑制することが可能になる。
【図面の簡単な説明】
【００１５】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示す第２のカバー部材の筒部の内部にシール部材が配置された状態を反被写体側から示す図である。
【図５】図３に示すスリーブ、駆動用磁石および駆動用コイルの配置関係を説明するための平面図である。
【発明を実施するための形態】
【００１６】
以下、図面を参照しながら、本発明の実施の形態を説明する。
【００１７】
（レンズ駆動装置の構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示すカバー部材９の筒部９ｂの内部にシール部材１３が配置された状態を反被写体側から示す図である。図５は、図３に示すスリーブ８、駆動用磁石１５および駆動用コイル１６の配置関係を説明するための平面図である。
【００１８】
なお、以下の説明では、図１等に示すように、互いに直交する３方向のそれぞれをＸ方向、Ｙ方向およびＺ方向とし、Ｘ方向を左右方向、Ｙ方向を前後方向、Ｚ方向を上下方向とする。また、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００１９】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。また、レンズ駆動装置１の４つの側面は、左右方向または前後方向と略平行になっている。
【００２０】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。なお、本形態では、上側は、光軸方向の一端側である。
【００２１】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、可動体２と固定体３とを繋ぐ板バネ５、６を備えている。すなわち、可動体２は、板バネ５、６を介して固定体３に移動可能に保持されている。本形態では、１個の板バネ５が可動体２の上端側に配置され、２個の板バネ６が可動体２の下端側に配置されている。
【００２２】
可動体２は、複数のレンズが固定されたレンズホルダ７を保持するスリーブ８を備えている。固定体３は、レンズ駆動装置１の上端面を構成する第２のカバー部材としてのカバー部材９と、レンズ駆動装置１の４つの側面を構成するカバー部材１０と、レンズ駆動装置１の下端面を構成するベース部材１１と、板バネ５の一部が固定される固定部材としてのスペーサ１２と、カバー部材９とカバー部材１０との間に配置されるシール部材１３と、後述の駆動用コイル１６に電流を供給するための２個の給電用端子１４とを備えている。なお、図２、図３では、レンズホルダ７の図示を省略している。
【００２３】
レンズホルダ７は、略円筒状に形成されている。このレンズホルダ７の内周側には、光軸方向から見たときの形状が略円形状となる複数のレンズが固定されている。
【００２４】
スリーブ８は、たとえば、樹脂材料で形成されるとともに、略筒状に形成されている。具体的には、スリーブ８は、上下方向から見たときの内周面の形状が略円形状となり、上下方向から見たときの外周面の形状が略八角形状となる略筒状に形成されている。また、スリーブ８の下端側には、レンズ駆動装置１の四隅の方向へ突出する突出部８ａが形成されており、上下方向から見たときのスリーブ８の下端側部分の形状は略正方形状となっている。このスリーブ８は、その内周側でレンズホルダ７を保持している。すなわち、スリーブ８の内周面にレンズホルダ７の外周面が固定されている。
【００２５】
カバー部材１０は、磁性材料で形成されるとともに、金属材料で形成されている。たとえば、カバー部材１０は、磁性を有する鋼板によって形成されている。また、カバー部材１０は、底部１０ａと筒部１０ｂとを有する底付きの略四角筒状に形成されている。上側に配置される底部１０ａの中心には、貫通孔１０ｃが形成されている。筒部１０ｂを構成する前後左右の４つの側面は、上下方向に略平行に配置されている。カバー部材１０は、可動体２の上端側の一部を除く大半部分および駆動機構４の外周側を囲むように配置されている。
【００２６】
筒部１０ｂの左右の側面は、平面状に形成されている。一方、筒部１０ｂの前後の側面には、前後方向の外側に向かって突出する突出部１０ｄが形成されている。突出部１０ｄは、筒部１０ｂの前後の側面の、左右方向における中心位置に形成されている。
【００２７】
カバー部材９は、金属材料で形成されている。たとえば、カバー部材９は、非磁性のステンレス鋼板で形成されている。また、カバー部材９は、底部９ａと筒部９ｂとを有する底付きの略四角筒状に形成されている。筒部９ｂの上下方向の幅は、カバー部材１０の筒部１０ｂの上下方向の幅よりも狭くなっている。上側に配置される底部９ａの中心には、貫通孔９ｃが形成されている。筒部９ｂを構成する前後左右の４つの側面は、上下方向に略平行に配置されている。本形態の筒部９ｂは、下方向へ立ち上るようにかつ環状に形成される外周壁部である。なお、カバー部材９は、磁性材料で形成されても良い。
【００２８】
筒部９ｂの左右の側面は、平面状に形成されている。一方、筒部９ｂの前後の側面には、カバー部材１０の筒部１０ｂの形状に対応するように、前後方向の外側に向かって突出する突出部９ｅが形成されている。突出部９ｅは、筒部９ｂの前後の側面の、左右方向における中心位置に形成されている。
【００２９】
カバー部材９は、板バネ５を構成する後述の固定体固定部５ｂを覆うようにカバー部材１０の上端側に溶接によって固定されており、レンズ駆動装置１の上端側部分を構成するとともに、固定体３の上端側部分を構成している。また、カバー部材９は、可動体２の上端側の一部の外周側を囲むように配置されている。
【００３０】
筒部９ｂには、溶接によってカバー部材１０に固定される被固定部９ｄが形成されている。被固定部９ｄは、筒部９ｂの下端に繋がるように形成されている。また、被固定部９ｄは、左右方向における突出部９ｅの両側から（すなわち、筒部９ｂの前後の側面の左右両端側から）下方向へ突出するように形成されている。すなわち、被固定部９ｄは、４箇所に形成されている。また、被固定部９ｄは、略正方形状に形成されている。この被固定部９ｄは、前後方向において、カバー部材１０の筒部１０ｂの前後の側面の外側に配置されている。被固定部９ｄは、筒部１０ｂの前後の側面の外側から筒部１０ｂの前後の側面に溶接によって固定されている。
【００３１】
筒部１０ｂに溶接される前の被固定部９ｄには、前後方向の内側に向かって突出する凸部９ｆが形成されている。すなわち、筒部１０ｂに溶接される前の被固定部９ｄには、筒部１０ｂの前後の側面に向かって突出する凸部９ｆが形成されている。凸部９ｆは、被固定部９ｄの一部が前後方向の内側に向かって半抜き加工されることで形成されている。また、凸部９ｆは、前後方向から見たときの形状が略円形状となるように形成されている。
【００３２】
筒部１０ｂの前後の側面に被固定部９ｄを溶接する際に、筒部１０ｂの前後の側面の外側に被固定部９ｄを配置すると、筒部１０ｂの前後の側面に凸部９ｆが当接する。本形態では、被固定部９ｄの、凸部９ｆが形成された部分にレーザ光を照射することで、筒部１０ｂの前後の側面に被固定部９ｄが溶接されて、固定される。すなわち、筒部１０ｂと被固定部９ｄとの溶接後には、被固定部９ｄの、凸部９ｆが形成された部分およびその近傍で、筒部１０ｂと被固定部９ｄとが繋がっており、被固定部９ｄの、凸部９ｆが形成された部分およびその近傍には、溶接跡が残っている。また、筒部１０ｂと被固定部９ｄとの溶接後でも、凸部９ｆの一部が残ることがある。
【００３３】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に固定されており、レンズ駆動装置１の下端側部分を構成するとともに、固定体３の下端側部分を構成している。ベース部材１１の中心には、貫通孔１１ａが形成されている。
【００３４】
板バネ５は、スリーブ８の上端側に固定される円環状の可動体固定部５ａと、可動体固定部５ａの外周側に配置され、スペーサ１２およびカバー部材１０に固定される略正方形の枠状の固定体固定部５ｂと、可動体固定部５ａと固定体固定部５ｂとを繋ぐ４本の腕部５ｃとを備えている。この板バネ５は、可動体固定部５ａおよび固定体固定部５ｂの厚さ方向と上下方向とが略一致するように、スリーブ８、カバー部材１０およびスペーサ１２に固定されている。
【００３５】
板バネ６は、スリーブ８の下端側に固定される略半円弧状の可動体固定部６ａと、可動体固定部６ａの外周側に配置され、ベース部材１１に固定される略三角形状の２個の固定体固定部６ｂと、可動体固定部６ａと固定体固定部６ｂとを繋ぐ２本の腕部６ｃとを備えている。この板バネ６は、可動体固定部６ａおよび固定体固定部６ｂの厚さ方向と上下方向とが略一致するように、スリーブ８およびベース部材１１に固定されている。２個の板バネ６のそれぞれには、駆動機構４を構成する後述の駆動用コイル１６の両端部のそれぞれが半田付け等されて固定されており、電気的に接続されている。
【００３６】
スペーサ１２は、金属材料で形成されるとともに、略正方形の枠状に形成されている。スペーサ１２の上下方向の厚さは、板バネ５の厚さよりも厚くなっている。スペーサ１２の下面には、板バネ５の固定体固定部５ｂの上面が固定されており、スペーサ１２と固定体固定部５ｂとが重なっている。本形態では、上下方向から見たときのスペーサ１２の形状が、上下方向から見たときの固定体固定部５ｂの形状と略同形状になっており、上下方向から見たときに、スペーサ１２と固定体固定部５ｂとがほぼ完全に重なっている。また、本形態では、スペーサ１２の下面に固定体固定部５ｂの上面が固定された後に、固定体固定部５ｂの下面がカバー部材１０の底部１０ａの上面に接着等によって固定されている。すなわち、スペーサ１２は、底部１０ａの上面との間に固定体固定部５ｂを挟んだ状態で、固定体固定部５ｂを介して底部１０ａの上面に固定されている。
【００３７】
シール部材１３は、ゴム状の弾性力を有する工業用材料であるエラストマーによって形成されている。たとえば、シール部材１３は、衝撃吸収性および振動吸収性に優れた制振ゴムによって形成されている。また、シール部材１３は、略正方形の枠状（環状）に形成されている。シール部材１３は、カバー部材９の底部９ａの下面に接着で固定されており、スペーサ１２の上面と底部９ａの下面との間に配置されている。すなわち、シール部材１３は、カバー部材１０の底部１０ａの上面とカバー部材９の底部９ａの下面との間に配置されている。シール部材１３は、上下方向から見たときにスペーサ１２の全体を覆うように形成されている。本形態では、シール部材１３は、スペーサ１２と重なるように配置されており、スペーサ１２の全体を上側から覆っている。
【００３８】
また、シール部材１３は、カバー部材９の筒部９ｂの内周側に配置されている。図４に示すように、シール部材１３は、筒部９ｂの突出部９ｅの内側面にその外周端が当接し、かつ、筒部９ｂの左右の内側面とその外周端との間に隙間が形成されるように形成され、配置されている。また、シール部材１３の四隅には、前後方向の外側へ突出する略円弧状の凸部１３ａが形成されており、前後方向における凸部１３ａの外側端は、筒部９ｂの前後の内側面に当接している。また、シール部材１３の外周端の、突出部９ｅの内側面に当接する部分と凸部１３ａとの間の部分と、筒部９ｂの前後の内側面との間には、隙間Ｓが形成されている。この隙間Ｓは、被固定部９ｄが形成される箇所に対応するように形成されている。すなわち、被固定部９ｄの近傍では、シール部材１３と筒部９ｂとの間に隙間Ｓが形成されている。
【００３９】
上述のように、カバー部材９は、カバー部材１０の上端側に溶接によって固定されている。本形態では、シール部材１３は、スペーサ１２とカバー部材９の底部９ａとの間に上下方向に圧縮された状態で挟まれている。
【００４０】
給電用端子１４は、導電性を有する平板状の金属材料が折り曲げられて形成されている。この給電用端子１４は、ベース部材１１に固定されている。また、２個の給電用端子１４のそれぞれには、２個の板バネ６のそれぞれが半田付け等されて固定されており、電気的に接続されている。
【００４１】
駆動機構４は、レンズ駆動装置１の四隅（具体的には、カバー部材１０の内側の四隅）に配置される略三角柱状の４個の駆動用磁石１５と、スリーブ８に固定される１個の駆動用コイル１６とを備えている。
【００４２】
駆動用磁石１５は、上下方向から見たときの形状が略直角三角形となるように形成されており、光軸Ｌに略平行でかつ互いに直交する矩形状の側面１５ａ、１５ｂを備えている。この駆動用磁石１５は、カバー部材１０の筒部１０ｂの内周面と側面１５ａ、１５ｂとが略平行に、かつ、所定の隙間をあけて対向するように配置されている。また、４個の駆動用磁石１５の上端面は、カバー部材１０の底部１０ａに固定されている。
【００４３】
駆動用磁石１５の下端面には、磁性材料で形成された磁性部材１７が固定されている。磁性部材１７は、上下方向から見たときの形状が駆動用磁石１５と同様の略直角三角形状となる平板状に形成されており、互いに直交する２個の端面１７ａ、１７ｂを備えている。この磁性部材１７は、その厚さ方向と上下方向とが略一致するように駆動用磁石１５の下端面に固定されている。
【００４４】
駆動用磁石１５は、上端面の磁極と下端面の磁極とが異なるように、上下方向で２極に着磁されている。そのため、たとえば、レンズ駆動装置１では、カバー部材１０の筒部１０ｂ、底部１０ａ、駆動用磁石１５および磁性部材１７を通過するとともに、磁性部材１７の下面や端面から筒部１０ｂの内周面に向かって回り込む磁界が形成されている。なお、駆動用磁石１５の下端面と磁性部材１７の上面との当接部分の近傍からも筒部１０ｂの内周面に向かって磁界が回り込んでいる。
【００４５】
駆動用コイル１６は、上下方向から見たときの形状が略正方形状となるように扁平な略四角筒状に巻回されている。この駆動用コイル１６は、スリーブ８の突出部８ａの上面に固定されている。駆動用コイル１６は、カバー部材１０の筒部１０ｂの内周面に沿うように配置されており、駆動用コイル１６の四隅およびその近傍部分は、駆動用磁石１５の側面１５ａ、１５ｂおよび磁性部材１７の端面１７ａ、１７ｂとカバー部材１０の筒部１０ｂとの隙間に配置されている。
【００４６】
また、駆動用コイル１６の四隅およびその近傍部分は、磁性部材１７の下面や端面１７ａ、１７ｂから筒部１０ｂの内周面に向かって回り込む磁界の中に配置されている。本形態では、可動体２の可動範囲において、駆動用コイル１６の内周側に磁性部材１７が常に配置されるように、駆動用コイル１６が配置されている。駆動用コイル１６に電流が供給されると、駆動用磁石１５と駆動用コイル１６との作用で、可動体２が上下方向（光軸方向）へ移動する。
【００４７】
（本形態の主な効果）
以上説明したように、本形態では、カバー部材１０の底部１０ａとカバー部材９の底部９ａとの間に、上下方向に圧縮された状態のシール部材１３が配置されている。そのため、板バネ５の固定体固定部５ｂを覆うようにカバー部材９が設けられている場合であっても、シール部材１３によって、カバー部材９とカバー部材１０との間の隙間を埋めることが可能になる。したがって、本形態では、カバー部材９とカバー部材１０との間から（具体的には、筒部９ｂと筒部１０ｂとの間から）レンズ駆動装置１の内部へ塵埃が入り込むのを防止することが可能になり、その結果、レンズ駆動装置１の内部へ塵埃が入り込むのを抑制することが可能になる。
【００４８】
また、本形態では、カバー部材９とカバー部材１０との間にエラストマー製のシール部材１３が配置されているため、レンズ駆動装置１が落下する等の状況が生じて、カバー部材９に衝撃が加わっても、この衝撃をシール部材１３で緩和することが可能になる。したがって、本形態では、レンズ駆動装置１の耐衝撃性を高めることが可能になる。また、本形態では、カバー部材９とカバー部材１０との間にエラストマー製のシール部材１３が配置されているため、可動体２が上下方向へ移動する際の振動をシール部材１３で吸収することが可能になる。したがって、本形態では、レンズ駆動装置１が取り付けられるカメラの筺体の振動等を抑制することが可能になる。
【００４９】
本形態では、カバー部材９の被固定部９ｄが、カバー部材１０の筒部１０ｂの前後の側面の外側から筒部１０ｂの前後の側面に溶接によって固定されている。そのため、シール部材１３の圧縮量を変えることで、上下方向において、カバー部材１０に対するカバー部材９の固定位置を調整することが可能になる。具体的には、上下方向におけるレンズ駆動装置１の高さが略一定になるように、所定の治具を用いて、シール部材１３の圧縮量を変えることで、カバー部材１０に対するカバー部材９の固定位置を調整することが可能になる。したがって、本形態では、レンズ駆動装置１を構成する部品にばらつきが生じても、上下方向におけるレンズ駆動装置１の寸法のばらつきを抑制して、上下方向におけるレンズ駆動装置１の寸法精度を高めることが可能になる。また、本形態では、筒部１０ｂの前後の側面の外側から筒部１０ｂの前後の側面に被固定部９ｄが溶接で固定されるため、カバー部材９をカバー部材１０に溶接で固定する際に、上下方向におけるカバー部材９の固定位置の調整が容易になる。
【００５０】
本形態では、筒部１０ｂに溶接される前の被固定部９ｄに、筒部１０ｂの前後の側面に向かって突出する凸部９ｆが形成されている。そのため、凸部９ｆを利用して、筒部１０ｂの前後の側面と被固定部９ｄとを密着させることが可能になる。したがって、本形態では、筒部１０ｂの前後の側面と被固定部９ｄとを確実に溶接することが可能になり、筒部１０ｂの前後の側面と被固定部９ｄとの固定強度を高めることが可能になる。
【００５１】
本形態では、被固定部９ｄの近傍において、シール部材１３と筒部９ｂとの間に隙間Ｓが形成されている。そのため、上下方向に圧縮されて前後方向へ広がったシール部材１３が、筒部９ｂの、被固定部９ｄの近傍部分を外周側へ押し広げるのを防止することが可能になる。したがって、本形態では、筒部９ｂの下端に繋がる被固定部９ｄと筒部１０ｂの前後の側面とを確実に密着させて、筒部１０ｂの前後の側面と被固定部９ｄとを確実に溶接することが可能になる。また、本形態では、シール部材１３の四隅に凸部１３ａが形成されており、前後方向における凸部１３ａの外側端が筒部９ｂの前後の内側面に当接しているため、被固定部９ｄの近傍において、シール部材１３と筒部９ｂとの間に隙間Ｓが形成されていても、カバー部材９に対するシール部材１３の位置ずれを防止することが可能になる。
【００５２】
本形態では、板バネ５よりも厚い金属製のスペーサ１２に固定体固定部５ｂが固定された後に、固定体固定部５ｂがカバー部材１０の底部１０ａに固定されている。そのため、スペーサ１２に固定されていない状態の固定体固定部５ｂが底部１０ａに固定される場合と比較して、底部１０ａに固定体固定部５ｂを固定する際の固定体固定部５ｂの変形を防止することが可能になる。したがって、本形態では、板バネ５のバネ特性を安定させることが可能になる。
【００５３】
本形態では、シール部材１３は、スペーサ１２と重なるように配置されている。そのため、カバー部材９とカバー部材１０との間にスペーサ１２が設けられていても、シール部材１３によって、カバー部材９とカバー部材１０との間からレンズ駆動装置１の内部へ塵埃が入り込むのを防止することが可能になる。
【００５４】
（他の実施の形態）
上述した形態は、本発明の好適な形態の一例ではあるが、これに限定されるものではなく本発明の要旨を変更しない範囲において種々変形実施が可能である。
【００５５】
上述した形態では、筒部１０ｂに溶接される前の被固定部９ｄに凸部９ｆが形成されているが、筒部１０ｂに溶接される前の被固定部９ｄに凸部９ｆが形成されていなくても良い。この場合には、たとえば、被固定部９ｄの下端面と筒部１０ｂの前後の側面との接触部分にレーザ光を照射することで、筒部１０ｂの前後の側面に被固定部９ｄが溶接されて、固定される。ただし、この場合には、被固定部９ｄの下端面でレーザ光が反射して、たとえば、反射したレーザ光がベース部材１１に照射されるおそれがある。樹脂製のベース部材１１にレーザ光が照射されると、ベース部材１１が溶けるおそれがある。そのため、筒部１０ｂに溶接される前の被固定部９ｄには、凸部９ｆが形成されていることが好ましい。
【００５６】
上述した形態では、筒部９ｂに被固定部９ｄが形成されているが、筒部９ｂに被固定部９ｄが形成されていなくても良い。この場合には、たとえば、カバー部材１０の底部１０ａの上面に当接する当接部をカバー部材９に形成して、この当接部に上側からレーザ光を照射することで、溶接によって、カバー部材１０にカバー部材９を固定しても良い。なお、この場合には、上下方向において、カバー部材１０に対するカバー部材９の固定位置を調整することが困難になるため、筒部９ｂに被固定部９ｄが形成されていることが好ましい。
【００５７】
上述した形態では、スペーサ１２の下面に固定体固定部５ｂの上面が固定された後に、固定体固定部５ｂの下面がカバー部材１０の底部１０ａの上面に接着等によって固定されている。この他にもたとえば、上下方向から見たときに、スペーサ１２が固定体固定部５ｂよりも大きく形成されているのであれば、スペーサ１２の下面に固定体固定部５ｂの上面が固定された後に、スペーサ１２の下面が底部１０ａの上面に固定されても良い。すなわち、固定体固定部５ｂは、スペーサ１２を介して底部１０ａに固定されても良い。このときには、スペーサ１２の下面は、接着によって底部１０ａに固定されても良いが、溶接によって底部１０ａに固定される。すなわち、このときには、溶接によってスペーサ１２が底部１０ａに接合されることで、固定体固定部５ｂは、スペーサ１２を介して底部１０ａに固定される。また、固定体固定部５ｂとシール部材１３との間にスペーサ１２が配置されていなくても良い。また、上述した形態では、カバー部材９とシール部材１３とが別体で形成されているが、カバー部材９とシール部材１３とが一体で形成されても良い。
【００５８】
上述した形態では、駆動機構４は、略三角柱状に形成されレンズ駆動装置１の四隅に配置される駆動用磁石１５と、略四角筒状に巻回されて形成され駆動用磁石１５の外周側に配置される駆動用コイル１６とを備えている。この他にもたとえば、駆動機構４は、スリーブ８の外周側に巻回される駆動用コイルと、レンズ駆動装置１の４つの側面のそれぞれに沿って配置され駆動用コイルの外周面に対向する駆動用磁石とを備えていても良い。また、駆動機構４は、スリーブ８の外周側に巻回される駆動用コイルと、レンズ駆動装置１の四隅に配置され駆動用コイルの外周面に対向する駆動用磁石とを備えていても良い。
【００５９】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略六角形状等の多角形状となるように形成されても良いし、光軸方向から見たときの形状が円形状や楕円形状となるように形成されても良い。
【符号の説明】
【００６０】
１  レンズ駆動装置
２  可動体
３  固定体
４  駆動機構
５  板バネ
５ａ  可動体固定部
５ｂ  固定体固定部
５ｃ  腕部
９  カバー部材（第２のカバー部材）
９ｂ  筒部（外周壁部）
９ｄ  被固定部
９ｆ  凸部
１０  カバー部材
１２  スペーサ（固定部材）
１３  シール部材
Ｌ  光軸
Ｓ  隙間
Ｚ  光軸方向
Ｚ１  光軸方向の一端側
【図１】
0005898914.tif 000002
【図２】
0005898914.tif 000003
【図３】
0005898914.tif 000004
【図４】
0005898914.tif 000005
【図５】
0005898914.tif 000006